【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
管腔（７）を有している気道管（２）と、
マスク部分（３）とを備えている喉頭マスク（１）であって、
前記マスク部分（３）は、
膨張可能なカフ（９）と、
気道管（２）から膨張可能なカフ（９）までの間に遷移部（８）を形成している中間部とを有する喉頭マスクにおいて、
気道管（２）および中間部は一体成形されることを特徴とし、また、膨張可能なカフ（９）は中間部と一体成形された第１外周端縁と、接合部（１６、１７）によって中間部に接続された第２外周端縁（１５）とを有している、
ことを特徴とする、喉頭マスク。
【請求項２】
前記カフの膨張可能な部分の肉厚は前記気道管（２）の全体的な肉厚よりも薄いことを特徴とする、請求項１に記載の喉頭マスク。
【請求項３】
前記カフの膨張可能な部分の肉厚は閉じた第１区分（１１１）の範囲内に入り、その範囲の薄い方の値は「ａ」であり、厚い方の値は「ｂ」であることを特徴とし、前記気道管（２）の肉厚は閉じた第２区分の範囲内に入り、薄い方の値は「ｃ」であり、厚い方の値は「ｄ」であることを特徴とし、また、厚い方の値「ｄ」は厚い方の値「ｂ」よりも大きいことを特徴とする、請求項２に記載の喉頭マスク。
【請求項４】
前記カフ（９）の内周の外側の輪郭は本質的に楕円状、滴状、環状、または、それらの変形形状で延びていることを特徴とする、請求項１〜３のいずれか１項に記載の喉頭マスク。
【請求項５】
前記マスク部分（３）の中間部の全体的な肉厚は前記気道管（２）の全体的な肉厚よりも薄く、前記カフ（９）の全体的な肉厚よりは厚いことを特徴とする、請求項２から請求項４のいずれか１項に記載の喉頭マスク。
【請求項６】
前記マスク部分（３）の中間部の肉厚は第３区分の範囲内に入り、下限が第１区分（１１１）の下限「ａ」よりも大きいことを特徴とする、請求項２から請求項６のいずれか１項に記載の喉頭マスク。
【請求項７】
前記カフ（９）、前記マスク部分（３）の中間部、前記気道管（２）の少なくとも一方は、これらの部分の全体的な肉厚よりも肉厚が大きい区分を含んでいるか、または、小さい区分を含んでいることを特徴とする、請求項２から請求項６のいずれか１項に記載の喉頭マスク。
【請求項８】
前記カフ（９）の膨張可能な部分の壁は素材厚さが変動して不均一であり、第１区分（１１１）の範囲に入ることを特徴とする、請求項７に記載の喉頭マスク。
【請求項９】
前記喉頭マスクは、前記気道管（２）の増補として剛性チューブ１１４を更に備えており、前記剛性チューブはその全体または一部が外側ジャケット（１１７）に封入されて、気道管（２）の一体部分を構成していることを特徴とする、請求項１から請求項８のいずれか１項に記載の喉頭マスク。
【請求項１０】
前記剛性チューブ（１１４）は、その表面に、溝などの複数のガイド部材を有していることを特徴とする、請求項９に記載の喉頭マスク。
【請求項１１】
前記気道管（２）は、気道管（２）と一体であるとともに、気道管の中心軸に軸線方向平行である補強用の複数のリブ（２２）を設けていることを特徴とする、請求項１から請求項１０のいずれか１項に記載の喉頭マスク。
【請求項１２】
射出成形プロセスで可塑性の重合体素材から製造されることを特徴とする、請求項１から請求項１１のいずれか１項に記載の喉頭マスク。
【請求項１３】
前記気道管（２）は少なくとも１個の感覚インジケータビーズ（１０）を有しており、管材（２）の外面に複数のリブを設けたことを特徴とする、請求項１から請求項１２のいずれか１項に記載の喉頭マスク。
【請求項１４】
前記マスク部分（３）は付加的な膨張可能なベローズ（１１）を有しており、ベローズはマスク部分（３）の中間部の頂面（４）の一体部分の上に配置されている、または、一体部分の一部を構成していることを特徴とする、請求項１から請求項１３のいずれか１項に記載の喉頭マスク。
【請求項１５】
前記マスク部分（３）の前記カフ（９）は、少なくとも２個の膨張可能な左右の両ベローズ（１２）を有しており、ベローズはマスク部分の頂面（４）の上に配置されており、カフの長手方向軸線に本質的に平行であることを特徴とする、請求項１から請求項１４のいずれか１項に記載の喉頭マスク。
【請求項１６】
少なくとも前記マスク部分（３）には、潤滑剤、抗菌剤の少なくとも一方が塗布されていることを特徴とする、請求項１から請求項１５のいずれか１項に記載の喉頭マスク。
【請求項１７】
前記閉じた遷移面（８）は補強用の複数のリブを有していることを特徴とする、請求項１から請求項１６のいずれか１項に記載の喉頭マスク。
【請求項１８】
管腔（７）を有している気道管（２）と、
マスク部分（３）とを備えている喉頭マスク（１）を製造する方法であって、
前記マスク部分（３）は、
膨張可能なカフ（９）と、
気道管（２）から膨張可能なカフ（９）までの間に遷移部（８）を形成している中間部とを有しており、
前記製造方法のプロセスは、
閉じた型（１０１）において、気道管（２）と、中間部と、カフ（９）とを一体的に射出成形して、カフ（９）の第２の外周端縁（１５）と中間部との間に環状に延びる開口部（１３）を設けるようにした第１工程と、
気道管（２）と、中間部と、環状に延びる開口部（１３）を設けたカフ（９）とを型（１０１）から排出する第２工程と、
第２の外周端縁（１５）を中間部と接合部（１６、１７）で組立てることにより環状に延びた開口部（１３）を閉鎖することにより、閉じた膨張可能なカフ（９）を設ける工程とを含んでいる、
ことを特徴とする、喉頭マスクの製造方法。
【請求項１９】
前記環状に延びた開口部（１３）付近の前記第２の外周端縁（１５）と中間部との間の距離は１ｍｍから８ｍｍであることを特徴とする、請求項１８に記載の方法。
【請求項２０】
請求項１８又は請求項１９に記載の方法であって、
液状可塑材が第１圧力および第１温度で閉じた型（１０１）に注入され、型（１０１）は少なくとも１個の芯材（１０２）を有して気道管（２）とマスク部分３に内部キャビティを設けるようにし、型（１０１）はまた、２個の第１型部材、すなわち、上位の第１型部材（１０４）と下位の第１型部材（１０５）を備えており、それらの界面（１０６）のうちの第１界面部（１０７）がマスクの下面（５）に対応する領域に配置され、２個の型部材は互いの界面部（１０７）に直交する方向に可動であり、型（１０１）はまた、別な２個の第２型部材（１０８）を備えており、それらによる第２の運動パターンは、第１の型部材の運動線に直交していることを特徴とし、
下位の第１型部材（１０５）は上位の型部材（１０４）から引き離される方向に移動させられることを特徴とし、
２個の第２の型部材（１０８）は第２の運動パターンの採用により、互いから引き離される方向に移動させられることを特徴とし、
その後、芯材（１０２）は下位の第１型部材（１０５）と同じ方向に移動させられることを特徴とし、また、
喉頭マスク（１）を型から排出し、前記環状に延びた開口部（１３）を閉鎖することにより、喉頭マスクが完成されることを特徴とする方法。
【請求項２１】
前記芯材（１０２）の表面の全体または各部は粗面であることを特徴とする、請求項２０に記載の方法。
【請求項２２】
前記マスク部分の外周は上位外周と下位外周によって形成され、雄雌配置としても知られている、舌状突起および溝からなる配置として構成され、後で、粘着剤による接着プロセスなどによって互いに押圧し合うように組み立てられて、本質的に閉じた外周カフ（９）を設けるようにしたことを特徴とする、請求項１８から請求項２１のいずれか１項に記載の方法。
【請求項２３】
剛性チューブ（１１４）は気道管（２）の増補として配置され、気道管の一体部分として形成された外側ジャケットが剛性チューブ（１１４）の外面の全体または一部を封入するという効果を奏するようにしたことを特徴とする、請求項１８から請求項２２のいずれか１項に記載の方法。
【請求項２４】
前記気道管（２）と前記マスク部分（３）は前記剛性チューブ（１１４）の周囲に成形されることを特徴とする、請求項２３に記載の方法。
【請求項２５】
前記気道管（２）、前記マスク部分（３）、および、前記剛性チューブ（１１４）は全て、同じ重合体素材から製造されることを特徴とする、請求項２４に記載の方法。
【請求項２６】
前記喉頭マスク（１）の前記外周カフ（９）上に管材（１８）が後から取付けられ、管材（１８）の他方端には弁（１９）とパイロットバルーン（２０）が設けられることを特徴とする、請求項１８から請求項２５のいずれか１項に記載の方法。
【請求項２７】
請求項１から請求項１７のいずれか１項に記載の喉頭マスクを製造するための、請求項１８から請求項２６のいずれか１項に記載の方法の使用。
【請求項２８】
少なくとも１個の気道管（２’）とマスク部分（３’）を備えている喉頭マスク（１’）であって、マスク部分（３’）は頂面（４’）と底面（５’）を有しており、底面（５’）は管材（２’）の内部（７’）に導通している管腔（６’）を有しており、頂面（４’）は閉じた遷移面（８’）を有しており、マスク部分（３’）は少なくとも底面上で膨張可能なカフ（９’）によって外周部の境界が限られ、マスク部分（３’）のカフ（９’）は喉頭開口部の反対側の咽頭の壁を押圧して当接する膨張可能な手段を有しており、マスク部分を喉頭開口部と気密に接続させるようにしたことを特徴とし、また、これら当接手段とマスク部分の頂面（４’）との間に通路が形成されることを特徴とする、喉頭マスク。
【請求項２９】
前記マスク部分（３’）の前記カフ（９’）は少なくとも２個の膨張可能な左右の両ベローズ（１２’）を有しており、これらベローズはマスク（１’）の頂面（４’）の上に配置されているとともに、カフ（９’）の長手方向軸線に関して対称であることを特徴とする、請求項２８に記載の喉頭マスク。
【請求項３０】
前記カフ（９）はカフ（９）の頂面の最前部に補強された区分（２３）を有していることを特徴とする、請求項１から請求項１７のいずれか１項に記載の喉頭マスク。